(57)【要約】      （修正有）【課題】第一の周波数帯域と第一の周波数帯域よりも高い第二の周波数帯域で動作する無線通信ネットワークを、基地局を追加して設置することなく実現する。【解決手段】第１のエリア内に第１の周波数帯域で信号を放射する少なくとも１つの第１のアンテナを備える、無線電気通信ネットワークの基地局において、基地局は、第１の周波数帯域よりも高い第２の周波数帯域で信号を放射する複数の第２のアンテナと、複数の第２のアンテナによって第２の周波数帯域で放射された信号を複数の異なる第２のエリア内に指向させるための手段とを備え、且つ、複数の第２のエリアによってカバーされる全エリアは、第１のエリアとかなり等しい。【選択図】図２
2007151120.tif 000002
【特許請求の範囲】
【請求項１】
無線電気通信ネットワークの基地局であって、
前記基地局は、第１のエリア内に第１の周波数帯域で信号を放射する、少なくとも１つの第１のアンテナを備える
基地局において、
前記基地局は、
前記第１の周波数帯域よりも高い第２の周波数帯域で信号を放射する、複数の第２のアンテナと、
前記複数の第２のアンテナによって、前記第２の周波数帯域で放射された前記信号を、複数の異なる第２のエリア内に指向させるための手段と
を備えることを特徴とし、且つ、
前記複数の第２のエリアによってカバーされる全エリアは、前記第１のエリアとかなり等しいことを特徴とする、無線電気通信ネットワークの基地局。
【請求項２】
前記基地局は、少なくとも２つの第１のアンテナを備え、
前記少なくとも２つの第１のアンテナのそれぞれは、前記第２のアンテナの１つであることを特徴とし、且つ、
前記第１のアンテナは、２つの第２のアンテナの間隔の距離よりも大きな距離の間隔を空けられることを特徴とする、請求項１に記載の基地局。
【請求項３】
各第１のアンテナは、複数の異なる第１のエリア内に前記第１の周波数帯域で信号を放射することを特徴とし、且つ、
前記基地局は、各第１のエリアに前記第１の周波数帯域で放射された前記信号の少なくとも一部を介して、その第１のエリアを他の第１のエリアから識別する情報を転送するための手段を備えることを特徴とする、請求項２に記載の基地局。
【請求項４】
前記基地局は、各第２のエリアに前記第２の周波数帯域で放射された前記信号の少なくとも一部を介して、その第２のエリアを、同じ第１のエリアに含まれる他の第２のエリアから識別する情報を転送するための手段を備えることを特徴とする、請求項３に記載の基地局。
【請求項５】
前記基地局は、
前記無線電気通信ネットワークの端末から、前記アンテナを介して、前記端末が位置する第１のエリアを識別する情報を含む信号を受信するための手段と、
前記端末から、前記アンテナを介して、前記端末が位置する第２のエリアを表す情報を含む信号を受信するための手段と、
前記受信された情報に従って、前記端末がどの第２のエリアに存在するかを決定するための手段と
を備えることを特徴とする、請求項４に記載の基地局。
【請求項６】
前記基地局は、前記第１の周波数帯域及び前記第２の周波数帯域で前記端末によって受信された前記信号の、品質を表す信号を受信するための手段を備えることを特徴とする、請求項５に記載の基地局。
【請求項７】
前記基地局は、
電気通信ネットワークから発行された、端末との通信要求を検出するための手段と、
前記第１の周波数帯域を介してメッセージを転送するための手段と、
前記転送されたメッセージに応答する、前記第２の周波数帯域の信号を受信するための手段と、
前記第２の周波数帯域で前記受信された信号に従って、前記端末が位置する第２のエリアを決定するための手段と
を備えることを特徴とする、請求項１に記載の基地局。
【請求項８】
無線電気通信ネットワークの基地局によってカバーされる、少なくとも１つのエリアを管理するための方法であって、
前記基地局は、第１のエリア内に第１の周波数帯域で信号を放射する少なくとも１つの第１のアンテナを備える、方法において、
前記方法は、前記基地局によって実行される、前記基地局の複数の第２のアンテナによって第２の周波数で放射される前記信号を複数の異なる第２のエリア内に指向させるステップを含み、
前記第２の周波数帯域は、前記第１の周波数帯域よりも高く、
前記複数の第２のエリアによってカバーされる全エリアは、前記第１のエリアにかなり等しい
ことを特徴とする方法。
【請求項９】
前記基地局は、複数の異なる第１のエリア内に前記第１の周波数帯域で信号を放射する少なくとも２つの第１のアンテナを有し、
前記方法は、各第１のエリアに前記第１の周波数帯域で放射された前記信号の少なくとも一部を介して、その第１のエリアを他の第１のエリアから識別する情報を転送するステップをさらに含む
ことを特徴とする、請求項８に記載の方法。
【請求項１０】
前記方法は、各第２のエリアに前記第２の周波数帯域で放射された前記信号の少なくとも一部を介して、その第２のエリアを、同じ第１のエリアに含まれる他の第２のエリアから識別する情報を転送するステップをさらに含むことを特徴とする、請求項９に記載の方法。
【請求項１１】
前記無線電気通信ネットワークの端末から、前記アンテナを介して、前記端末が位置する第１のエリアを識別する情報を含む信号を受信するステップと、
前記端末から、前記アンテナを介して、前記端末が位置する第２のエリアを表す情報を含む信号を受信するステップと、
前記受信された情報に従って、前記端末がどの第２のエリアに存在するかを決定するステップと
をさらに含むことを特徴とする、請求項１０に記載の方法。
【請求項１２】
前記基地局は、前記第１の周波数帯域及び前記第２の周波数帯域で前記端末によって受信された前記信号の品質を表す信号を受信するための手段を備えることを特徴とする、請求項１１に記載の方法。
【請求項１３】
前記無線エリアネットワークから発行された、端末との通信要求を検出するステップと、
前記第１の周波数帯域を介してメッセージを転送するステップと、
前記転送されたメッセージに応答する、前記第２の周波数帯域の信号を受信するステップと、
前記第２の周波数帯域で前記受信された信号に従って、前記端末が位置する第２のエリアを決定するステップと
をさらに含むことを特徴とする、請求項８に記載の方法。
【請求項１４】
無線電気通信ネットワークの端末であって、
基地局無線電気通信ネットワークから第１の周波数帯域で信号を受信するための手段であって、前記信号は、前記信号が前記基地局によって前記第１の周波数帯域で放射される第１のエリアを識別する情報を含む、信号を受信するための手段と、
前記第１の周波数帯域で前記受信された信号の品質を求めるための手段と、
前記端末が位置する第１のエリアを識別する情報を含む信号を前記基地局へ転送するための手段と
を備える、無線電気通信ネットワークの端末において、
前記基地局から第２の周波数帯域で信号を受信するための手段であって、前記信号は、前記信号が前記基地局によって前記第２の周波数帯域で放射される、その第２のエリアを識別する情報を含む、信号を受信するための手段と、
前記第２の周波数帯域で前記受信された信号の品質を求めるための手段と、
前記端末が位置する第２のエリアを識別する情報と、前記端末によって受信された前記信号の前記品質とを含む信号を前記基地局へ転送するための手段と
をさらに備えることを特徴とする、無線電気通信ネットワークの端末。
【請求項１５】
前記端末と確立される予定の通信を表すメッセージを、前記第１の周波数帯域を介して受信するための手段と、
前記受信されたメッセージに応答して、前記第２の周波数帯域で信号を転送するための手段と
を備えることを特徴とする、請求項１４に記載の端末。
【請求項１６】
前記第１の周波数帯域での前記信号の前記受信及び／又は前記転送に使用されるアンテナの個数よりも多い、前記第２の周波数帯域での前記信号の前記受信及び／又は前記転送に使用される複数のアンテナを備えることを特徴とする、請求項１４又は１５のいずれか一項に記載の端末。
【請求項１７】
無線電気通信ネットワークの端末によって情報を報告するための方法であって、
前記端末によって実行される複数のステップである、
基地局無線電気通信ネットワークから第１の周波数帯域で信号を受信するステップであって、前記信号は、前記信号が前記基地局によって前記第１の周波数帯域で放射される第１のエリアを識別する情報を含む、信号を受信するステップと、
前記第１の周波数帯域で前記受信された信号の品質を求めるステップと、
前記端末が位置する第１のエリアを識別する情報を含む信号を前記基地局へ転送するステップと
を含む方法において、
前記方法は、さらに、
前記基地局から第２の周波数帯域で信号を受信するステップであって、前記信号は、前記信号が前記基地局によって前記第２の周波数帯域で放射される第２のエリアを識別する情報を含む、信号を受信するステップと、
前記第２の周波数帯域で前記受信された信号の品質を求めるステップと、
前記端末が位置する第２のエリアを識別する情報と、前記端末によって受信された前記信号の前記品質とを含む信号を前記基地局へ転送するステップと
を含むことを特徴とする方法。
【請求項１８】
前記端末は、
前記端末と確立される予定の通信を表すメッセージを、前記第１の周波数帯域を介して受信すること、及び
前記受信されたメッセージに応答して、前記第２の周波数帯域で信号を転送すること
を特徴とする、請求項１７に記載の方法。
【請求項１９】
プログラマブルデバイス内に直接ロード可能とすることができるコンピュータプログラムであって、プログラマブルデバイスで実行されると、請求項８〜１３のいずれか一項に記載の方法のステップを実施するための命令又はコード部を含む、コンピュータプログラム。
【請求項２０】
プログラマブルデバイス内に直接ロード可能とすることができるコンピュータプログラムであって、プログラマブルデバイスで実行されると、請求項１７又は１８に記載の方法のステップを実施するための命令又はコード部を含む、コンピュータプログラム。
【発明の詳細な説明】
【技術分野】
【０００１】
本発明は、包括的には、マルチバンド無線電気通信ネットワークに関し、詳細には、無線電気通信ネットワークの基地局によってカバーされるエリアを管理するための基地局及び方法に関する。
【０００２】
近年、端末、及び、映像転送又はビデオ転送等の高データ転送速度アプリケーションの急速な増加に従って、高速データ転送速度サービスを無線端末に提供するために、多くの関心が、第４世代無線電気通信ネットワークに向けられている。
【０００３】
高データ転送速度サービスを可能にするために、第４世代無線電気通信ネットワークで使用されるように計画された周波数帯域は、従来の無線電気通信ネットワークによって現在使用されているものよりもはるかに高い。基地局によってカバーされるエリアは、電波伝搬特性に依存し、電波伝搬特性は、動作周波数帯域に依存する。
【０００４】
一般に、低周波数帯域では、高周波数帯域よりも伝搬損失が小さい。伝搬損失は、使用される動作周波数の２乗に比例する。したがって、高周波数帯域で信号を転送する基地局のカバレッジエリアは、低周波数帯域で信号を転送する基地局よりも小さい。
【０００５】
カバレッジエリアは、そのエリアに位置する端末が、基地局によって放射された信号を受信できるエリアである。或るエリアに位置する端末は、メッセージをそのエリア内へ転送する基地局から信号を受信する端末である。
【０００６】
これらのことを考えると、高周波数帯域無線電気通信ネットワークと低周波数帯域無線電気通信ネットワークとに同じカバレッジエリアを提供するには、この場合、図１に示すように、基地局の個数を増加させることが必要である。
【０００７】
この図１は、高周波数帯域の全カバレッジエリアが、低周波数帯域のカバレッジエリアと同じでなければならない場合の基地局の再分割の一例を示している。
【０００８】
図１の例では、基地局１ａは、ＡｒＬａで示す第１のエリア内に低周波数帯域で信号を放射し、ＡｒＨａで示す第２のエリア内に高周波数帯域で信号を放射する。基地局１ａは、マルチバンド基地局である。第２のエリアＡｒＨａは、第１のエリアＡｒＬａよりもはるかに小さい。
【０００９】
低周波数帯域で提供されるカバーエリアと同じカバーエリアを端末に提供するには、各エリアＡｒＨｂ〜ＡｒＨｇに高周波数帯域で信号を放射する、複数の基地局１ｂ〜１ｇを配置することが必要である。
【００１０】
このような構成は、２００５年９月２５日〜２８日にダラスで開催されたVTC2005秋季会議でヨシタカ・ハラ（Yoshitaka Hara）他によって「A Multiband Mobile Communication System for Wide Coverage and High Data Rate」という名称の論文で提案されているが、高周波数帯域が使用される場合に多くの基地局を設置する必要があるので十分なものではない。基地局のこのような重要な個数は、このような無線電気通信ネットワークの配備のコストを増加させる。
【００１１】
【特許文献１】英国特許出願公開第２３７４４９２号明細書（図７ａ、第１１頁１１〜２３行目、第１３頁５〜８行目、第１９頁８〜１２行目、第２２頁４〜２０行目）
【特許文献２】欧州特許出願公開第１１５８８２４号明細書（図３、図４、段落番号［０００８］、［００１０］、［００１４］、［００１５］、［００２４］、［００２５］）
【特許文献３】国際公開第２００５／１０７１６９号パンフレット（段落番号［００６４］、［００６９］、［００７５］、００７９］、［００８１］、［００８４］、［００８７］、［０１３２］）
【００１２】
したがって、本発明の目的は、基地局を追加して設置することなく、信号が第１の周波数帯域及び第２の周波数帯域で放射される無線電気通信ネットワークの配備を可能にする方法及び基地局を提案することである。
【００１３】
そのため、本発明は、無線電気通信ネットワークの基地局であって、前記基地局は、第１のエリア内に第１の周波数帯域で信号を放射する少なくとも１つの第１のアンテナを備える、基地局において、基地局は、第１の周波数帯域よりも高い第２の周波数帯域で信号を放射する複数の第２のアンテナと、複数の第２のアンテナによって第２の周波数帯域で放射された信号を複数の異なる第２のエリア内に指向させる(direct)ための手段とを備え、且つ、複数の第２のエリアによってカバーされる全エリアは、第１のエリアとかなり(sensibly)等しい、無線電気通信ネットワークの基地局に関する。
【００１４】
本発明はまた、無線電気通信ネットワークの基地局によってカバーされる、少なくとも１つのエリアを管理するための方法であって、前記基地局は、第１のエリア内に第１の周波数帯域で信号を放射する少なくとも１つの第１のアンテナを備える、方法において、前記方法は、基地局によって実行される、基地局の複数の第２のアンテナによって第２の周波数で放射される信号を複数の異なる第２のエリア内に指向させるステップを含み、第２の周波数帯域は、第１の周波数帯域よりも高く、複数の第２のエリアによってカバーされる全エリアは、第１のエリアにかなり等しいことを特徴とする方法に関する。
【００１５】
したがって、複数の第２のアンテナによって放射される信号を所与の方向に指向させることによって、放射された信号を受信できる距離を増大させることが可能である。
【００１６】
複数の第２のアンテナによって放射される信号を複数の方向に指向させることによって、複数の第２のエリアによってカバーされる全エリアのカバレッジを増加させることが可能である。
【００１７】
第１の周波数帯域及び第２の周波数帯域で信号を放射する基地局を有することによって、第１の周波数帯域及び／又は第２の周波数帯域で動作する端末が無線電気通信ネットワークにアクセスすることを可能にすることができる。
【００１８】
複数の第２のエリアによってカバーされる全エリアを増加させることによって、基地局を追加して設置することなく、信号が第２の周波数帯域で放射される無線電気通信ネットワークを提供することが可能である。
【００１９】
特定の一特徴によれば、基地局は、少なくとも２つの第１のアンテナを備え、少なくとも２つの第１のアンテナのそれぞれは、第２のアンテナの１つであり、且つ、第１のアンテナは、２つの第２のアンテナの間隔の距離よりも大きな距離の間隔を空けられる。
【００２０】
したがって、第１のアンテナ間の結合が低減され、第１のアンテナ間の干渉が低減される。
【００２１】
特定の一特徴によれば、各第１のアンテナは、複数の異なる第１のエリア内に第１の周波数帯域で信号を放射し、且つ、基地局は、各第１のエリアに第１の周波数帯域で放射された信号の少なくとも一部を介して、その第１のエリアを他の第１のエリアから識別する情報を転送する。
【００２２】
したがって、このような信号を受信する端末が、このような情報を使用して第１のエリアを識別することが可能である。
【００２３】
特定の一特徴によれば、基地局は、各第２のエリアに第２の周波数帯域で放射された信号の少なくとも一部を介して、その第２のエリアを、同じ第１のエリアに含まれる他の第２のエリアから識別する情報を転送する。
【００２４】
したがって、このような信号を受信する端末が、このような情報を使用して第２のエリアを識別することが可能である。
【００２５】
特定の一特徴によれば、基地局は、無線電気通信ネットワークの端末から、アンテナを介して、端末が位置する第１のエリアを識別する情報を含む信号を受信し、端末から、アンテナを介して、端末が位置する第２のエリアを表す情報を含む信号を受信し、そして、受信された情報に従って、端末がどの第２のエリアに存在するかを決定する。
【００２６】
したがって、複数の異なる第２のエリアが、複数の異なる第１のエリアに属する場合に、或る第２のエリアを識別する同じ情報をそれら複数の異なる第２のエリアに割り当てることが可能である。その結果、第２のエリアを識別する情報の個数が削減される。
【００２７】
特定の一特徴によれば、基地局は、第１の周波数帯域及び第２の周波数帯域で端末によって受信された信号の品質を表す信号を受信する。
【００２８】
特定の一特徴によれば、基地局は、電気通信ネットワークから発行された、端末との通信要求を検出し、第１の周波数帯域を介してメッセージを転送し、転送されたメッセージに応答する、第２の周波数帯域の信号を受信し、第２の周波数帯域で受信された信号に従って、端末が位置する第２のエリアを決定する。
【００２９】
したがって、基地局は、端末の位置を容易に特定することができる。第１の周波数帯域を使用して、基地局は、広い第１のエリアでメッセージを転送する。第２の周波数帯域で応答メッセージを受信することによって、基地局は、端末の位置を正確に求めることができる。
【００３０】
別の態様によれば、本発明は、無線電気通信ネットワークの端末であって、基地局無線電気通信ネットワークから第１の周波数帯域で信号を受信するための手段であって、信号は、信号が基地局によって第１の周波数帯域で放射される第１のエリアを識別する情報を含む、信号を受信するための手段と、受信された信号の品質を求めるための手段と、端末が位置する第１のエリアを識別する情報を含む信号を基地局へ転送するための手段とを備える、無線電気通信ネットワークの端末において、
基地局無線電気通信ネットワークから第２の周波数帯域で信号を受信するための手段であって、信号は、信号が基地局によって第２の周波数帯域で放射される第２のエリアを識別する情報を含む、信号を受信するための手段と、
受信された信号の品質を求めるための手段と、
端末が位置する第１のエリアを識別する情報と、端末によって受信された信号の品質とを含む信号を基地局へ転送するための手段と
をさらに備えることを特徴とする、無線電気通信ネットワークの端末に関する。
【００３１】
本発明はまた、無線電気通信ネットワークの端末によって情報を報告するための方法であって、端末によって実行される複数のステップである、
基地局無線電気通信ネットワークから第１の周波数帯域で信号を受信するステップであって、信号は、信号が基地局によって第１の周波数帯域で放射される第１のエリアを識別する情報を含む、受信するステップと、
受信された信号の品質を求めるステップと、
端末が位置する第１のエリアを識別する情報を含む信号を基地局へ転送するステップと
を含む方法において、前記方法は、さらに、
基地局無線電気通信ネットワークから第２の周波数帯域で信号を受信するステップであって、信号は、信号が基地局によって第２の周波数帯域で放射される第２のエリアを識別する情報を含む、信号を受信するステップと、
受信された信号の品質を求めるステップと、
端末が位置する第１のエリアを識別する情報を含む信号を基地局へ転送するステップと
を含むことを特徴とする方法に関する。
【００３２】
したがって、端末は、基地局がその端末の位置を特定することを可能にする情報をその基地局に与えることができる。
【００３３】
さらに別の態様によれば、端末は、第１の周波数帯域及び第２の周波数帯域で端末によって受信された信号の品質を表す信号を転送する。
【００３４】
さらに別の態様によれば、端末は、第１の周波数帯域での信号の受信及び／又は転送に使用されるアンテナの個数よりも多い、第２の周波数帯域での信号の受信及び／又は転送に使用される複数のアンテナを備える。
【００３５】
したがって、端末は、第２の周波数帯域での信号の受信及び／又は転送に使用されるアンテナを使用して、第２の周波数帯域で受信及び／又は転送される信号に対してビームフォーミングを実行することができる。
【００３６】
さらに別の態様によれば、端末は、端末と確立される予定の通信を表すメッセージを、第１の周波数帯域を介して受信するための手段と、受信されたメッセージに応答して、第２の周波数帯域で信号を転送するための手段とを備える。
【００３７】
さらに別の態様によれば、本発明は、プログラマブルデバイス内に直接ロード可能とすることができるコンピュータプログラムであって、プログラマブルデバイスで実行されると、本発明による方法のステップを実施するための命令又はコード部を含む、コンピュータプログラムに関する。
【００３８】
コンピュータプログラムに関する機能及び利点は、本発明による方法及び基地局に関連して上述したものと同じであるので、それら特徴及び利点は、ここでは繰り返さないことにする。
【００３９】
本発明の特徴は、一例の実施の形態の以下の説明を読むことによってより明確になる。当該説明は、添付図面に関して作成されたものである。
【００４０】
図１は、高周波数帯域無線電気通信ネットワークのカバレッジエリアが、低周波数帯域無線電気通信ネットワークのカバレッジエリアと同じである場合の基地局の再分割の一例を示している。
【００４１】
この図１は、高周波数帯域無線電気通信ネットワークのカバレッジエリアが、低周波数帯域無線電気通信ネットワークのカバレッジエリアと同じである場合の基地局の、従来技術で提案された再分割を開示している。
【００４２】
図２は、本発明による、基地局のアンテナによって第１の周波数帯域及び第２の周波数帯域で放射される信号によりカバーされるエリアの一例を示している。
【００４３】
無線電気通信ネットワークの基地局１０は、一例として、図２に図示されていない４つの第１のアンテナを備える。これら４つの第１のアンテナは、ＢＦＬ１、ＢＦＬ２、ＢＦＬ３、及びＢＦＬ４で示す４つの第１のエリア内に第１の周波数帯域で信号を放射する。
【００４４】
ここで、実現の一変形では、基地局１０は、より重要な個数の第１のアンテナを使用してより重要な個数の第１のエリア内に信号を放射し、又は別の変形によれば、基地局１０は、単一の第１のアンテナを使用して単一の第１のエリア内に信号を放射することに留意しなければならない。
【００４５】
第１の周波数帯域は、限定ではなく一例として、およそ９００ＭＨｚの周波数の周波数帯域である。
【００４６】
基地局１０は、図２には図示されていない複数の第２のアンテナを備える。これら複数の第２のアンテナは、ＢＦＨ１１、ＢＦＨ１２、ＢＦＨ１３、ＢＦＨ１４、ＢＦＨ１５、ＢＦＨ２１、ＢＦＨ２２、ＢＦＨ２３、ＢＦＨ２４、ＢＦＨ２５、ＢＦＨ３１、ＢＦＨ３２、ＢＦＨ３３、ＢＦＨ３４、ＢＦＨ３５、ＢＦＨ４１、ＢＦＨ４２、ＢＦＨ４３、ＢＦＨ４４、及びＢＦＨ４５で示す複数の第２のエリア内に第２の周波数帯域で信号を放射する。
【００４７】
第２の周波数帯域は、限定ではなく一例として、およそ３．５ＧＨｚの周波数の周波数帯域である。
【００４８】
第１の周波数帯域及び第２の周波数帯域は、したがって分離されている。
【００４９】
基地局１０は、Ｎ個の複数の第２のアンテナによって第２の周波数帯域で放射された信号を、複数の異なる第２のエリアＢＦＨ１１〜ＢＦＨ１５、ＢＦＨ２１〜ＢＦＨ２５、ＢＦＨ３１〜ＢＦＨ３５、及びＢＦＨ４１〜ＢＦＨ４５内に指向させるための手段を備える。
【００５０】
図２に示すように、第２のエリアＢＦＨ１１、ＢＦＨ１２、ＢＦＨ１３、ＢＦＨ１４、及びＢＦＨ１５によってカバーされる全エリアは、第１のエリアＢＦＬ１にかなり等しく、第２のエリアＢＦＨ２１、ＢＦＨ２２、ＢＦＨ２３、ＢＦＨ２４、及びＢＦＨ２５によってカバーされる全エリアは、第１のエリアＢＦＬ２にかなり等しく、第２のエリアＢＦＨ３１、ＢＦＨ３２、ＢＦＨ３３、ＢＦＨ３４、及びＢＦＨ３５によってカバーされる全エリアは、第１のエリアＢＦＬ３にかなり等しく、第２のエリアＢＦＨ４１、ＢＦＨ４２、ＢＦＨ４３、ＢＦＨ４４、及びＢＦＨ４５によってカバーされる全エリアは、第１のエリアＢＦＬ４にかなり等しい。
【００５１】
ここで、複数の第２のエリアによってカバーされる全エリアが、少なくとも第１のエリアの６０パーセントに等しい場合に、複数の第２のエリアによってカバーされる全エリアは、第１のエリアにかなり等しいことに留意しなければならない。好ましくは、複数の第２のエリアによってカバーされる全エリアは、少なくとも第１のエリアの９０パーセントに等しい。
【００５２】
好ましくは、基地局１０は、所与の第１のエリアをカバーする各第２のエリアに、それら第２のエリアを識別する異なる情報を割り当てる。
【００５３】
或る第２のエリア及び別の第２のエリアが、異なる第１のエリアを部分的にカバーする場合、基地局１０は、その或る第２のエリアを識別する情報をその別の第２のエリアに再利用する。
【００５４】
一例として、第２のエリアＢＦＨ１１、ＢＦＨ２１、ＢＦＨ３１、及びＢＦＨ４１は、第２のエリアＢＦＨ１２、ＢＦＨ２２、ＢＦＨ３２、及びＢＦＨ４２を識別する情報とは異なる、第２のエリアを識別する同じ情報を有する。
【００５５】
簡単にするために、１つの端末２０のみが図２には示されているが、はるかに多くの端末２０が、基地局１０によってカバーされる第１のエリア又は第２のエリアに位置することを理解することができる。端末２０は、限定ではなく一例として、移動電話又はパーソナルコンピュータ又は携帯情報端末である。
【００５６】
端末２０は、第１の周波数帯域及び／又は第２の周波数帯域で信号を転送し且つ／又は受信することにより、無線電気通信ネットワークの基地局１０を介していくつかの通信を受信又は確立することができる。
【００５７】
これらの通信は、本発明に従って、複数の基地局１０から成る無線電気通信ネットワークの他の端末２０に関して確立又は受信されるか、或いは、これらの通信は、電話網若しくはインターネットネットワークのような有線通信ネットワークを介して、又は、上記ネットワークを組み合わせたものを介して、他の電気通信デバイスに関して確立又は受信される。
【００５８】
図３は、本発明による基地局のアーキテクチャを表す図である。
【００５９】
基地局１０は、たとえば、バス３０１によって相互接続されるコンポーネントと、図７又は図８に開示されるようなプログラムによって制御されるプロセッサ３００とに基づくアーキテクチャを有する。
【００６０】
バス３０１は、読み出し専用メモリＲＯＭ３０２、ランダムアクセスメモリＲＡＭ３０３、低周波数帯域無線インターフェース３０５、高周波数帯域無線インターフェース３０６、及び電気通信ネットワークインターフェース３０７にプロセッサ３００をリンクする。
【００６１】
低周波数帯域無線インターフェース３０５及び低周波数帯域無線インターフェース３０６は、アンテナアレイＡｎｔＢＳにリンクされている。
【００６２】
メモリ３０３は、変数と、図７又は図８に開示されるようなアルゴリズムに関係するプログラムの命令とを収容することを目的としたレジスタを含む。
【００６３】
読み出し専用メモリ３０２は、図７又は図８に開示されるようなアルゴリズムに関係するプログラムの命令を含む。これらの命令は、基地局１０に電源が投入された時に、ランダムアクセスメモリ３０３へ転送される。
【００６４】
低周波数帯域無線インターフェース３０５は、アンテナアレイＡｎｔＢＳの少なくとも１つの第１のアンテナを介して、第１のエリアを識別する情報を転送するための手段を備える。
【００６５】
好ましくは、低周波数帯域無線インターフェース３０５は、複数の異なる第１のエリアにおいて、各第１のエリアを識別する情報を転送するための手段を備える。
【００６６】
限定ではなく一例として、所与の第１のエリアにおいて放射される信号は、所与の第１のアンテナによって放射される。
【００６７】
各第１のエリアを識別するこのような情報は、限定ではなく一例として、異なるパイロットシンボルの形を取る。
【００６８】
ここで、低周波数帯域無線インターフェース３０５は、アンテナアレイＡｎｔＢＳへ信号を転送するよりも前に、従来の無線電気通信デバイスで行われているように、信号のアップコンバート、マッピング等を行うことに留意しなければならない。
【００６９】
低周波数帯域無線インターフェース３０５は、少なくとも１つの端末２０から、その端末が位置する１つの第１のエリア及び／又は１つの第２のエリアを識別する情報を受信するための手段を備える。
【００７０】
実現の一変形では、低周波数帯域無線インターフェース３０５は、少なくとも１つの端末２０から、その端末が位置する複数の第１のエリア及び／又は複数の第２のエリアを識別する情報を受信するための手段を備える。
【００７１】
第１のエリア及び／又は第２のエリアを識別するこのような情報は、限定ではなく一例として、異なるパイロットシンボルの形を取る。
【００７２】
高周波数帯域無線インターフェース３０６は、アンテナアレイＡｎｔＢＳの複数の第２のアンテナによって、第２の周波数帯域で放射された信号を複数の異なる第２のエリア内に指向させるための手段を備える。
【００７３】
より正確に言えば、高周波数帯域無線インターフェース３０６は、複数の第２のエリアによってカバーされる全エリアが１つ又は複数の第１のエリアにかなり等しくなるように、第２の周波数帯域で放射された信号を複数の異なる第２のエリア内に指向させる。
【００７４】
限定ではなく一例として、高周波数帯域無線インターフェース３０６は、ビームフォーミングの名称で知られている技法を使用して、第２の周波数帯域で放射された信号を複数の異なる第２のエリア内に指向させる。
【００７５】
各第２のエリアＢＦＨ１１〜ＢＦＨ１５、ＢＦＨ２１〜ＢＦＨ２５、ＢＦＨ３１〜ＢＦＨ３５、ＢＦＨ４１〜ＢＦＨ４５について、基地局１０は、転送される信号をＮ回複製することによってビームフォーミングを実行し、複製された各信号は、基地局１０の重み付けベクトル（weighting vector）の要素によって重み付けられる、すなわち、要素と乗算される。
【００７６】
限定ではなく好ましくは、各第２のエリアＢＦＨ１１〜ＢＦＨ１５、ＢＦＨ２１〜ＢＦＨ２５、ＢＦＨ３１〜ＢＦＨ３５、ＢＦＨ４１〜ＢＦＨ４５について、高周波数帯域無線インターフェース３０６は、ビームフォーミングの技法を使用して、第２の周波数帯域で放射された信号を受信するための手段を備える。高周波数帯域無線インターフェース３０６は、基地局１０のＮ個のアンテナを介して受信されたＮ個の信号のそれぞれを、基地局１０の重み付けベクトルの要素によって重み付けして、すなわち、要素と乗算して、重み付けられた信号を結合することにより、ビームフォーミングを実行する。
【００７７】
基地局１０によって使用される重み付けベクトルは、各第２のエリアについて決定され、互いに異なる。
【００７８】
高周波数帯域無線インターフェース３０６は、アンテナアレイＡｎｔＢＳの複数の第２のアンテナを介して、各第２のエリアを識別する情報を転送するための手段も備える。
【００７９】
各第２のエリアを識別する情報は、限定ではなく一例として、異なるパイロットシンボルの形を取る。
【００８０】
ここで、高周波数帯域無線インターフェース３０６は、アンテナアレイＡｎｔＢＳへ信号を転送するよりも前に、従来の無線電気通信デバイスで行われているように、信号のアップコンバート、マッピング等を行うことに留意しなければならない。
【００８１】
高周波数帯域無線インターフェース３０６は、少なくとも１つの端末２０から、その端末が位置する１つの第１のエリア及び／又は１つの第２のエリアを識別する情報を受信するための手段を備える。
【００８２】
実現の一変形では、高周波数帯域無線インターフェース３０６は、少なくとも１つの端末２０から、その端末が位置する複数の第１のエリア及び／又は複数の第２のエリアを識別する情報を受信するための手段を備える。
【００８３】
電気通信ネットワークインターフェース３０７は、電気通信ネットワークからの、基地局１０によってカバーされる第１のエリア又は第２のエリアに位置する端末２０との通信の確立要求を表すメッセージの受信を可能にする。電気通信ネットワークは、それ自体、無線電気通信ネットワークであるか、又は、電話網若しくはインターネットネットワークのような有線通信ネットワークであるか、又は、上記ネットワークを組み合わせたものである。
【００８４】
図４は、本発明による端末のアーキテクチャを表す図である。
【００８５】
端末２０は、たとえば、バス４０１によって相互接続されるコンポーネントと、図６ａ及び図６ｂ又は図９に開示されるようなプログラムによって制御されるプロセッサ４００とに基づくアーキテクチャを有する。
【００８６】
バス４０１は、読み出し専用メモリＲＯＭ４０２、ランダムアクセスメモリＲＡＭ４０３、低周波数帯域無線インターフェース４０５、及び高周波数帯域無線インターフェース４０６にプロセッサ４００をリンクする。
【００８７】
低周波数帯域無線インターフェース４０５及び高周波数帯域無線インターフェース４０６は、アンテナアレイＡｎｔＭＳにリンクされている。
【００８８】
メモリ４０３は、変数と、図６ａ及び図６ｂ又は図９に開示されるようなアルゴリズムに関係するプログラムの命令とを収容することを目的としたレジスタを含む。
【００８９】
読み出し専用メモリ４０２は、図６ａ及び図６ｂ又は図９に開示されるようなアルゴリズムに関係するプログラムの命令を含む。これらの命令は、基地局１０に電源が投入された時に、ランダムアクセスメモリ４０３へ転送される。
【００９０】
低周波数帯域無線インターフェース４０５は、アンテナアレイＡｎｔＭＳの少なくとも１つのアンテナを介して、端末２０が位置する少なくとも１つの第１のエリアを識別する情報を受信するための手段を備える。
【００９１】
各エリアを識別するこのような情報は、限定ではなく一例として、異なるパイロットシンボルの形を取る。
【００９２】
低周波数帯域無線インターフェース４０５は、第１の周波数帯域で基地局１０から受信した信号の品質を求めるとともに、その求めた信号品質パラメータをアンテナアレイＡｎｔＭＳを介して基地局１０へ転送するための手段を備える。
【００９３】
低周波数帯域無線インターフェース４０５は、端末２０が位置する少なくとも１つの第１のエリア及び／又は少なくとも１つの第２のエリアを識別する情報を、アンテナアレイＡｎｔＭＳの少なくとも１つのアンテナを介して転送するための手段を備える。この情報は、一例としてパイロット信号の形を取る。
【００９４】
ここで、低周波数帯域無線インターフェース４０５は、第１の周波数帯域で転送された、複数の異なる第１のエリアを識別する複数の信号を受信し得ることに留意しなければならない。このような場合は、端末２０が、複数の異なる第１のエリアの境界地帯に位置する時に起こる。このような場合に、低周波数帯域無線インターフェース４０５は、第１の周波数帯域における複数の異なる第１のエリアを識別する情報を含む信号のそれぞれの品質パラメータを求め、求めた信号品質パラメータのそれぞれをアンテナアレイＡｎｔＭＳを介して基地局１０へ転送する。
【００９５】
一変形では、求められた信号品質パラメータのそれぞれは、プロセッサ４００へ転送され、プロセッサ４００は、どの信号品質パラメータを転送しなければならないかを決定する。
【００９６】
ここで、低周波数帯域無線インターフェース４０５は、アンテナアレイＡｎｔＢＳへ信号を転送するよりも前に、従来の無線電気通信デバイスで行われているように、信号のアップコンバート、マッピング等を行うことに留意しなければならない。
【００９７】
第１のエリア及び／又は第２のエリアを識別するこのような情報は、限定ではなく一例として、異なるパイロットシンボルの形を取る。
【００９８】
高周波数帯域無線インターフェース４０６は、アンテナアレイＡｎｔＭＳの少なくとも１つのアンテナを介して、端末２０が位置する少なくとも１つの第２のエリアを識別する情報を受信するための手段を備える。
【００９９】
各エリアを識別するこのような情報は、限定ではなく一例として、異なるパイロットシンボルの形を取る。
【０１００】
高周波数帯域無線インターフェース４０６は、第２の周波数帯域で基地局１０から受信した信号の品質を求めるとともに、その求めた、基地局１０から受信した信号の品質パラメータを、第１の周波数帯域及び／又は第２の周波数帯域でアンテナアレイＡｎｔＭＳを介して基地局１０へ転送するための手段を備える。
【０１０１】
限定ではなく好ましくは、高周波数帯域無線インターフェース４０６は、ビームフォーミングの技法を使用して、第２の周波数帯域で放射された信号を受信するための手段を備える。高周波数帯域無線インターフェース４０６は、端末２０のＭ個のアンテナを介して受信されたＭ個の信号のそれぞれを、端末２０の重み付けベクトルの要素によって重み付けして、すなわち、要素と乗算して、重み付けられた信号を結合することにより、ビームフォーミングを実行する。
【０１０２】
限定ではなく好ましくは、高周波数帯域無線インターフェース４０６は、ビームフォーミングの技法を使用して、第２の周波数帯域で放射された信号を指向させるための手段を備える。高周波数帯域無線インターフェース４０６は、転送される信号をＭ回複製し、複製された各信号を、端末２０の重み付けベクトルの要素によって重み付けする、すなわち、要素と乗算することによってビームフォーミングを実行する。
【０１０３】
高周波数帯域無線インターフェース４０６は、端末２０が位置する第１のエリア及び／又は第２のエリアを識別する情報を、アンテナアレイＡｎｔＭＳの少なくとも１つのアンテナを介して転送するための手段を備える。この情報は、一例としてパイロット信号の形を取る。
【０１０４】
ここで、高周波数帯域無線インターフェース４０６は、第２の周波数帯域で転送された、複数の異なる第２のエリアを識別する情報を含む複数の信号を受信し得ることに留意しなければならない。このような場合は、端末２０が複数の異なる第２のエリアの境界地帯に位置する時に起こる。このような場合に、高周波数帯域無線インターフェース４０６は、第２の周波数帯域で受信された、複数の異なる第２のエリアを識別する信号のそれぞれの品質パラメータを求め、求めた信号品質パラメータのそれぞれをアンテナアレイＡｎｔＭＳを介して基地局１０へ転送する。
【０１０５】
一変形では、求められた信号品質パラメータのそれぞれは、プロセッサ４００へ転送される。プロセッサ４００は、どの信号品質パラメータを転送しなければならないかを決定する。
【０１０６】
ここで、高周波数帯域無線インターフェース４０６は、アンテナアレイＡｎｔＢＳへ信号を転送するよりも前に、従来の無線電気通信デバイスで行われているように、信号のアップコンバート、マッピング等を行うことに留意しなければならない。
【０１０７】
第１のエリア及び／又は第２のエリアを識別するこのような情報は、限定ではなく一例として、異なるパイロットシンボルの形を取る。
【０１０８】
アンテナアレイＡｎｔＭＳは、第１の周波数帯域及び第２の周波数帯域における信号の転送又は受信に使用される少なくとも１つのアンテナから成る。
【０１０９】
好ましくは、アンテナアレイＡｎｔＭＳは、複数のアンテナを備える。第２の周波数帯域における信号の送信及び／又は受信に使用されるアンテナの個数は、第１の周波数帯域における信号の受信に使用されるアンテナの個数よりも多い。
【０１１０】
図５は、基地局のアンテナアレイの一例である。
【０１１１】
基地局１０のアンテナアレイＡｎｔＢＳは、Ａ１〜ＡＮで示すＮ個のアンテナを備える。
【０１１２】
アンテナアレイＡｎｔＢＳの少なくとも１つのアンテナが、第１の周波数帯域で信号を転送及び／又は受信するのに使用される。
【０１１３】
好ましくは、アンテナアレイＡｎｔＢＳの複数の第１のアンテナが、第１の周波数帯域で信号を転送及び／又は受信するのに使用され、これら複数の第１のアンテナのそれぞれは、所与のエリアＢＦＬ１、ＢＦＬ２、ＢＦＬ３、及びＢＦＬ４に専用化されている。
【０１１４】
アンテナアレイＡｎｔＢＳの複数の第２のアンテナが、第２の周波数帯域で信号を転送及び／又は受信するのに使用される。ここで、第１の周波数帯域で信号を転送及び／又は受信するのに使用される第１のアンテナは、第２の周波数帯域で信号を転送及び／又は受信するのにも使用されてもよく、或いは、第２の周波数帯域で信号を転送及び／又は受信するのに使用される第１のアンテナとは異なるものであってもよいことに留意しなければならない。
【０１１５】
アンテナアレイＡｎｔＢＳは、少なくとも２つの第１のアンテナが、２つの第２のアンテナの間隔の距離よりも大きな距離の間隔を空けられるように配置される。
【０１１６】
限定ではなく好ましくは、第１のアンテナは、第１の周波数帯域の最低周波数の２分の１波長に少なくとも等しい距離の間隔を空けられ、第２のアンテナは、第２の周波数帯域の最低周波数の２分の１波長に少なくとも等しい距離の間隔を空けられる。
【０１１７】
一例として、アンテナＡ１、Ａ４、Ａ９、及びＡＮが、第１の周波数帯域で信号を転送及び／又は受信するのに使用され、アンテナＡ１〜ＡＮが、第２の周波数帯域で信号を転送及び／又は受信するのに使用される。
【０１１８】
ここで、実現の一変形では、アンテナＡ１、Ａ４、Ａ９、及びＡＮは、第２の周波数帯域で信号を転送及び／又は受信するのに使用されないことに留意しなければならない。
【０１１９】
ここで、簡単にするために、アンテナＡ１〜ＡＮは、１次元アンテナアレイＡｎｔＢＳで図５に示されていることに留意しなければならない。アンテナＡ１〜ＡＮは、２次元又は３次元に従ってアンテナアレイＡｎｔＢＳに配置されることを理解しなければならない。
【０１２０】
図６ａ及び図６ｂは、本発明による、端末によって実行される第１のアルゴリズムの一部を示している。
【０１２１】
図６ａ及び図６ｂに開示されるアルゴリズムは、並列に又は任意の順序で順次、各端末２０のプロセッサ４００によって実行される。図６ａ及び図６ｂに開示されるアルゴリズムは、端末２０がアイドルモードにある時、又は、基地局１０を介して無線エリアネットワークから通信を受信した時、又は、無線エリアネットワーク及び基地局１０を使用して通信を確立したい時にプロセッサ４００によって実行される。
【０１２２】
図６ａのステップＳ６００において、プロセッサ４００は、低周波数帯域無線インターフェース４０５を介して、端末２０が位置する第１のエリアを識別する信号の受信を検出する。このような信号は、好ましくはパイロットシンボルである。
【０１２３】
次のステップＳ６０１において、プロセッサ４００は、受信パイロット信号のチャネル品質パラメータを求めることを指令する。このチャネル品質パラメータは、限定ではなく一例として、受信信号の電力強度の測定又は信号対雑音比の測定によって求められる。
【０１２４】
実現の一変形では、受信信号が、複数の異なる第１のエリアを識別する情報を含む場合に、プロセッサ４００は、複数の異なる第１のエリアを識別する情報を含む各信号のチャネル品質パラメータを求めることを指令する。
【０１２５】
次のステップＳ６０２において、プロセッサ４００は、端末２０が位置する第１のエリアを識別する情報を、求めたチャネル品質パラメータと組み合わせるか又は組み合わせることなく、低周波数帯域無線インターフェース４０５へ転送することを指令する。低周波数帯域無線インターフェース４０５は、この情報を、アンテナアレイＡｎｔＭＳを介して基地局１０へ転送する。
【０１２６】
実現の一変形では、受信信号が、複数の異なる第１のエリアを識別する情報を含む場合、プロセッサ４００は、最良のチャネル品質パラメータを求め、その最良のチャネル品質パラメータに対応する第１のエリアを識別する情報を転送することを指令するか、又は、プロセッサ４００は、求めた各チャネル品質パラメータを、第１のエリアを識別する各情報と組み合わせて、アンテナアレイＡｎｔＭＳを介して転送することを指令する。
【０１２７】
ここで、実現の一変形では、転送は、低周波数帯域無線インターフェース４０５を介して行われ、低周波数帯域無線インターフェース４０５は、アンテナアレイＡｎｔＭＳを介して情報を基地局１０へ転送することに留意しなければならない。
【０１２８】
ここで、実現の一変形では、プロセッサ４００は、求めた１つ又は複数のチャネル品質パラメータを高周波数帯域無線インターフェース４０６へ転送することを指令し、高周波数帯域無線インターフェース４０６は、そのパラメータを基地局１０へアンテナアレイＡｎｔＭＳを介して転送することに留意しなければならない。
【０１２９】
図６ｂのステップＳ６１０において、プロセッサ４００は、高周波数帯域無線インターフェース４０６を介して、端末２０が位置する第２のエリアを識別する信号の受信を検出する。このような信号は、好ましくはパイロットシンボルである。
【０１３０】
次のステップＳ６１１において、プロセッサ４００は、受信パイロット信号のチャネル品質パラメータを求めることを指令する。このチャネル品質パラメータは、限定ではなく一例として、受信信号の電力強度の測定又は信号対雑音比の測定によって求められる。
【０１３１】
実現の一変形では、受信信号が、複数の異なる第２のエリアを識別する情報を表す場合に、プロセッサ４００は、複数の異なる第２のエリアを識別する情報を表す各信号のチャネル品質パラメータを求めることを指令する。
【０１３２】
次のステップＳ６１２において、プロセッサ４００は、端末２０が位置する第２のエリアを識別する情報を、求めたチャネル品質パラメータと組み合わせるか又は組み合わせることなく、高周波数帯域無線インターフェース４０６へ転送することを指令する。高周波数帯域無線インターフェース４０６は、この情報を、アンテナアレイＡｎｔＭＳを介して基地局１０へ転送する。
【０１３３】
実現の一変形では、受信信号が、複数の異なる第２のエリアを識別する情報を含む場合、プロセッサ４００は、最良のチャネル品質パラメータを求め、その最良のチャネル品質パラメータに対応する第２のエリアを識別する情報を転送することを指令するか、又は、プロセッサ４００は、求めた各チャネル品質パラメータを、第２のエリアを識別する各情報と組み合わせて、アンテナアレイＡｎｔＭＳを介して転送することを指令する。
【０１３４】
ここで、実現の一変形では、転送は、低周波数帯域無線インターフェース４０５を介して行われ、低周波数帯域無線インターフェース４０５は、アンテナアレイＡｎｔＭＳを介して情報を基地局１０へ転送することに留意しなければならない。
【０１３５】
図７は、本発明による、基地局によって実行される第１のアルゴリズムである。
【０１３６】
図７に開示されるアルゴリズムは、基地局１０のプロセッサ３００によって実行される。
【０１３７】
ステップＳ７００において、プロセッサ３００は、低周波数帯域無線インターフェース３０５又は高周波数帯域無線インターフェース３０６を介して、端末２０が位置する第１のエリアを識別する情報の受信を検出する。好ましくは、受信した情報は、第１の周波数帯域で転送された信号について端末２０により求められたチャネル品質パラメータも含む。
【０１３８】
実現の一変形では、プロセッサ３００は、低周波数帯域無線インターフェース３０５又は高周波数帯域無線インターフェース３０６を介して、第１のエリアを識別する情報のそれぞれについて端末２０により求められたチャネル品質パラメータと組み合わせられた、端末２０が位置する複数の第１のエリアを識別する情報の受信を検出する。その変形では、プロセッサ３００は、受信したチャネル品質パラメータの中で最良のチャネル品質パラメータを決定し、第１のエリアを識別するどの情報がその最良の品質パラメータに対応するかを特定する。
【０１３９】
ステップＳ７０１において、プロセッサ３００は、低周波数帯域無線インターフェース３０５又は高周波数帯域無線インターフェース３０６を介して、端末２０が位置する第２のエリアを識別する情報の受信を検出する。好ましくは、受信した情報は、第２の周波数帯域で転送された信号について同じ端末２０により求められたチャネル品質パラメータも含む。
【０１４０】
実現の一変形では、プロセッサ３００は、低周波数帯域無線インターフェース３０５又は高周波数帯域無線インターフェース３０６を介して、第２のエリアを識別する情報のそれぞれについて端末２０により求められたチャネル品質パラメータと組み合わせられた、端末２０が位置する複数の第２のエリアを識別する情報の受信を検出する。その変形では、プロセッサ３００は、受信したチャネル品質パラメータの中で最良のチャネル品質パラメータを決定し、第２のエリアを識別するどの情報がその最良の品質パラメータに対応するかを特定する。
【０１４１】
次のステップＳ７０２において、プロセッサ３００は、端末２０が位置する第２のエリアを決定する。
【０１４２】
そのために、端末２０が位置する第１のエリアを識別する情報及び端末２０が位置する第１のエリアを識別する信号を使用して、プロセッサ３００は、第２のエリアを識別する同じ情報を有する第２のエリアの中で、端末がどの第２のエリアに存在するかを決定することができる。
【０１４３】
図２の例によれば、端末２０は、第１のエリアＢＦＬ２及び第２のエリアＢＦＨ２１に位置する。
【０１４４】
第２のエリアＢＦＬ２を識別する情報を使用して、プロセッサ３００は、第２のエリアを識別する同じ情報を有する第２のエリアＢＦＨ１１、ＢＦＨ２１、ＢＦＨ３１、及びＢＦＨ４１の中で、端末２０が第２のエリアＢＦＨ２１に位置することを決定することができる。
【０１４５】
次のステップＳ７０３において、プロセッサ３００は、低周波数帯域無線インターフェース３０５又は高周波数帯域無線インターフェース３０６を介して、決定した第２のエリアを一意に識別する情報を端末２０へ転送する。
【０１４６】
図８は、本発明による、基地局によって実行される第２のアルゴリズムである。
【０１４７】
図８に開示されるアルゴリズムは、基地局１０のプロセッサ３００によって実行される。
【０１４８】
ここで、プロセッサ３００は、図７のアルゴリズムと同時に図８のアルゴリズムを実行するか、又は、図７のアルゴリズムとは独立に図８のアルゴリズムを実行することに留意しなければならない。
【０１４９】
図８のアルゴリズムは、図７のアルゴリズムがなくても実行できることが容易に理解できる。
【０１５０】
ステップＳ８００において、基地局１０のプロセッサ３００は、無線電気通信ネットワークからの端末２０の呼の到来を検出する。
【０１５１】
次のステップＳ８０１において、プロセッサ３００は、呼が端末２０に関して確立される予定であることを示すメッセージを低周波数帯域無線インターフェース３０５へ転送する。
【０１５２】
このようなメッセージは、アンテナアレイＡｎｔＢＳの少なくとも１つの第１のアンテナを介して、低周波数帯域無線インターフェース３０５により第１の周波数帯域の信号の形で転送される。
【０１５３】
次のステップＳ８０２において、プロセッサ３００は、高周波数帯域無線インターフェース３０６を介して、転送されたメッセージに応答する信号の受信を検出する。
【０１５４】
次のステップＳ８０３において、プロセッサ３００は、端末２０が位置する第２のエリアを決定する。そのために、プロセッサ３００は、アンテナアレイＡｎｔＢＳの複数の第２のアンテナのチャネル応答を測定することによって、端末２０が位置する第２のエリアを識別するか、又は、プロセッサ３００は、受信信号に含まれる第２のエリアを識別する情報を読み出すことによって、端末２０が位置する第２のエリアを識別する。
【０１５５】
図９は、本発明による、端末によって実行される第２のアルゴリズムである。
【０１５６】
図４に開示されるアルゴリズムは、端末２０のプロセッサ４００によって実行される。
【０１５７】
ここで、プロセッサ４００は、図６ａ及び図６ｂのアルゴリズムと同時に図９のアルゴリズムを実行するか、又は、図６ａ及び図６ｂのアルゴリズムとは独立に図９のアルゴリズムを実行することに留意しなければならない。
【０１５８】
図９のアルゴリズムは、図６ａ及び図６ｂのアルゴリズムがなくても実行できることが容易に理解できる。
【０１５９】
ステップＳ９００において、プロセッサ４００は、低周波数帯域無線インターフェース４０５を介して、呼が端末２０に関して確立される予定であることを示すメッセージの受信を検出する。
【０１６０】
次のステップＳ９０１において、プロセッサ４００は、メッセージが受信されたことを示す応答メッセージを高周波数帯域無線インターフェース４０６へ転送する。
【０１６１】
当然のことながら、本発明の範囲から逸脱することなく、上述した本発明の実施の形態に対して多くの変更を行うことができる。
【図面の簡単な説明】
【０１６２】
【図１】高周波数帯域無線電気通信ネットワークのカバレッジエリアが、低周波数帯域無線電気通信ネットワークのカバレッジエリアと同じである場合の基地局の再分割の一例を示す。
【図２】本発明による、基地局のアンテナによって第１の周波数帯域及び第２の周波数帯域で放射される信号によりカバーされるエリアの一例を示す。
【図３】本発明による基地局のアーキテクチャを表す図である。
【図４】本発明による端末のアーキテクチャを表す図である。
【図５】基地局のアンテナアレイの一例である。
【図６ａ】本発明による、端末によって実行される第１のアルゴリズムの一部である。
【図６ｂ】本発明による、端末によって実行される第１のアルゴリズムの一部である。
【図７】本発明による、基地局によって実行される第１のアルゴリズムである。
【図８】本発明による、基地局によって実行される第２のアルゴリズムである。
【図９】本発明による、端末によって実行される第２のアルゴリズムである。
【図１】
2007151120.tif 000003
【図２】
2007151120.tif 000004
【図３】
2007151120.tif 000005
【図４】
2007151120.tif 000006
【図５】
2007151120.tif 000007
【図６ａ】
2007151120.tif 000008
【図６ｂ】
2007151120.tif 000009
【図７】
2007151120.tif 000010
【図８】
2007151120.tif 000011
【図９】
2007151120.tif 000012
【外国語明細書】
2007151120.tif 000013
2007151120.tif 000014
2007151120.tif 000015
2007151120.tif 000016
2007151120.tif 000017
2007151120.tif 000018
2007151120.tif 000019
2007151120.tif 000020
2007151120.tif 000021
2007151120.tif 000022
2007151120.tif 000023
2007151120.tif 000024
2007151120.tif 000025
2007151120.tif 000026
2007151120.tif 000027
2007151120.tif 000028
2007151120.tif 000029
2007151120.tif 000030
2007151120.tif 000031
2007151120.tif 000032
2007151120.tif 000033
2007151120.tif 000034
2007151120.tif 000035
2007151120.tif 000036
2007151120.tif 000037
2007151120.tif 000038
2007151120.tif 000039
2007151120.tif 000040
2007151120.tif 000041
2007151120.tif 000042
2007151120.tif 000043
2007151120.tif 000044